(57)【要約】      （修正有）【課題】検索の際の大きな時間ロスを低減し、医師や医療スタッフの患者に対する迅速的確な処理の助けとなる電子カルテ検索装置を提供する。【解決手段】電子カルテ検索装置は、入力手段と表示手段と制御手段とを備える。入力手段は、受診日を最初の検索条件とする受診日検索モードを有し、受診日検索モードである場合、少なくとも一人の受診者がいる受診日に印を付けて、複数月のカレンダーを表示させるとともに、印を付けた受診日を検索条件として入力すると、カレンダーの表示箇所と別の箇所に、当該受診日の検索カルテを一覧表示させ、一覧表示中の特定の検索カルテを選択すると、選択された検索カルテの詳細を表示させるように制御手段が表示手段を制御する。【選択図】図８
0003221605.tif 000002
【実用新案登録請求の範囲】
【請求項１】
電子カルテの検索条件を入力する入力手段と、
前記入力手段により検索された内容を表示する表示手段と、
前記入力手段と前記表示手段を制御する制御手段と、
を備えた電子カルテ検索装置であって、
前記入力手段は、受診日を最初の検索条件とする受診日検索モードを有し、
前記入力手段が前記受診日検索モードである場合、
少なくとも一人の受診者がいる受診日に印を付けて、複数月のカレンダーを表示させるとともに、
前記入力手段が、印を付けた前記受診日を検索条件として入力すると、前記カレンダーの表示箇所とは別の箇所に、当該受診日の検索カルテを一覧表示させ、
前記入力手段が前記一覧表示中の特定の検索カルテを選択する入力をすると、選択された前記検索カルテの詳細を表示させる、
ように前記制御手段は前記表示手段を制御することを特徴とする電子カルテ検索装置。
【請求項２】
請求項１に記載の電子カルテ検索装置において、
前記カレンダーを、検索日を中心として、検索日の属する月、前記検索日の属する月より前の月、及び、前記検索日の属する月より後の月を、合計して３か月以上で１２か月以下の複数月表示させるように、前記制御手段は前記表示手段を制御することを特徴とする電子カルテ検索装置。
【請求項３】
請求項２に記載の電子カルテ検索装置において、
前記カレンダーを、前記検索日の属する月より前の月の数が、前記検索日の属する月より後の月の数以上となるように表示させるように、前記制御手段は前記表示手段を制御することを特徴とする電子カルテ検索装置。
【請求項４】
請求項２又は３のいずれかに記載の電子カルテ検索装置において、
前記カレンダーを、前記検索日の属する月を含め、６か月以上で９か月以下となるように表示させるように、前記制御手段は前記表示手段を制御することを特徴とする電子カルテ検索装置。
【請求項５】
請求項１〜４のいずれかに記載の電子カルテ検索装置において、
少なくとも一人の受診者がいる前記受診日の印を、受診の種類により、少なくとも２つの異なる印で表示させるように、前記制御手段は前記表示手段を制御することを特徴とする電子カルテ検索装置。
【請求項６】
請求項１〜５のいずれかに記載の電子カルテ検索装置において、
検索した当日については他の日と異なる印を付けて表示させるように、前記制御手段は前記表示手段を制御することを特徴とする電子カルテ検索装置。
【請求項７】
請求項１〜６のいずれかに記載の電子カルテ検索装置において、
前記入力手段は、前記カレンダー上で表示された特定の受診日を指定することにより、印を付けた前記受診日を検索条件として入力することを特徴とする電子カルテ検索装置。
【請求項８】
請求項１〜７のいずれかに記載の電子カルテ検索装置において、
前記入力手段は、検索日欄に検索日を入力することにより、印を付けた前記受診日を検索条件として入力することを特徴とする電子カルテ検索装置。
【請求項９】
請求項１〜８のいずれかに記載の電子カルテ検索装置において、
前記入力手段は、少なくとも「本日」、「前日」及び「翌日」の表示箇所を指定することにより、印を付けた前記受診日を検索条件として入力することを特徴とする電子カルテ検索装置。
【請求項１０】
請求項１〜９のいずれかに記載の電子カルテ検索装置において、
前記入力手段が、前記受診日の検索カルテの一覧表示中から、更に検索条件を追加して入力すると、前記一覧表示を追加検索した一覧表示に変更させ、
前記入力手段が、追加検索した前記一覧表示中の特定の検索カルテを選択する入力をすると、選択された前記検索カルテの詳細を表示させる、
ように前記制御手段は前記表示手段を制御することを特徴とする電子カルテ検索装置。
【請求項１１】
請求項１〜１０のいずれかに記載の電子カルテ検索装置において、
前記入力手段は、患者を最初の検索条件とする患者検索モードを有し、
前記入力手段が、前記受診日検索モードである場合、
前記入力手段が患者を特定する患者情報を検索条件として入力すると、当該患者の検索カルテを一覧表示させ、
前記入力手段が、前記一覧表示中の特定の検索カルテを選択する入力をすると、選択された前記検索カルテの詳細を表示させる、
ように前記制御手段は前記表示手段を制御することを特徴とする電子カルテ検索装置。
【請求項１２】
請求項１〜１１のいずれかに記載の電子カルテ検索装置において、
前記一覧表示が、各検索カルテの内容を行方向に表示し、複数の検索カルテを列方向に並べる表示となるように、前記制御手段は前記表示手段を制御することを特徴とする電子カルテ検索装置。
【請求項１３】
請求項１〜１２のいずれかに記載の電子カルテ検索装置において、
前記一覧表示が、各検索カルテの患者の受診状況を表示するように、前記制御手段は前記表示手段を制御することを特徴とする電子カルテ検索装置。
【請求項１４】
請求項１３に記載の電子カルテ検索装置において、
前記一覧表示される検索カルテの受診状況別の件数を表示させるように、前記制御手段は前記表示手段を制御することを特徴とする電子カルテ検索装置。
【請求項１５】
請求項１〜１４のいずれかに記載の電子カルテ検索装置において、
検索カルテを一覧表示させる際、少なくとも、患者番号、患者名、生年月日、年齢、性別表示を含めて表示させるように、前記制御手段は前記表示手段を制御することを特徴とする電子カルテ検索装置。
【請求項１６】
請求項１〜１５のいずれかに記載の電子カルテ検索装置において、
前記の少なくとも一人の受診者がいる日に印を付ける表示を、少なくとも一人の受診者がいる日の表示と一人の受診者もいない日の表示とを異なる表示とすることでおこなうよう、前記制御手段は前記表示手段を制御することを特徴とする電子カルテ検索装置。
【請求項１７】
請求項１〜１６のいずれかに記載の電子カルテ検索装置において、
前記制御手段は、前記入力手段が、印を付けた以外の日を検索条件として入力した場合の入力受付を制限するよう制御することを特徴とする電子カルテ検索装置。
【考案の詳細な説明】
【技術分野】
【０００１】
本考案は、電子カルテ検索装置に関する。
【背景技術】
【０００２】
電子カルテを構成するのは電子データであるため、紙カルテより検索しやすいが、電子カルテは増える一方であり、年々検索が難しくなってきている。
【０００３】
検索の改善を試みた電子カルテシステムとして、患者ＩＤや病歴データを記憶する病歴データベースと、患者ＩＤを含むカルテデータを記憶するカルテデータベースとを設け、検索条件として入力された病名を含む病歴を病歴データベース内で検索し、見つかった病歴データ毎にカルテデータベースを検索する電子カルテシステムがある（特開２００９−８０７１９号公報）。
【０００４】
このシステムでは、図１１に示されるように、例えば、「インフルエンザ」で「高熱」のカルテを見たいとき、「病名」で「インフルエンザ」を検索してリストを作成した後で、「症状」で「高熱」を検索することにより、「病名」が「インフルエンザ」で、「症状」が「高熱」のカルテ一覧を作成して表示する。この表示では、「患者」三洋花子さん（患者ＩＤ等の患者を特定する情報）、病名「インフルエンザ」、症状「高熱が続き、喉が渇く」、受診日（２０１６／１０／１２、２０１６／１０／１６）、その下に、「患者」山田五郎さんについて、病名「インフルエンザ」、症状「高熱、咳が止まらない」のように表示される。
このような電子カルテシステムの電子カルテ検索は検索が比較的容易な点で優れている。
【先行技術文献】
【特許文献】
【０００５】
【特許文献１】特開２００９−８０７１９号公報
【考案の概要】
【考案が解決しようとする課題】
【０００６】
しかし、受診のため医院を訪れた患者を検索するには、上記提案の電子カルテシステムは必ずしも便利だとはいえない。
受診のため、医院には多数の患者が訪れる。これらの患者のカルテを検索する場合、まず、患者の氏名等をもとに検索するが、同性の患者が多かったり、中には同性同名の患者がいる場合もある。難しい氏名であったり、外人の場合には、検索入力自体を誤ることもあり得る。
【０００７】
このような場合には、受診日をもとに検索することが考えられる。患者の言った「２週間程前に受診した」をもとに電子カルテを検索する。しかし、「２週間前」は医院が休診日で急患もいなかった、その前後の日で検索したがやはり休診日で受診者がいなかった、という場合、検索に手間取ってしまう。このようなケースが積み重なると、大きな時間ロスとなり、医師や医療スタッフの患者に対する迅速的確な処理の妨げとなる。
【０００８】
そこで、本考案は、検索の際の大きな時間ロスを低減し、医師や医療スタッフの患者に対する迅速的確な処理の助けとなる電子カルテ検索装置を提供することを目的とする。
【課題を解決するための手段】
【０００９】
［１］本考案の電子カルテ検索装置は、電子カルテの検索条件を入力する入力手段と、前記入力手段により検索された内容を表示する表示手段と、前記入力手段と前記表示手段を制御する制御手段と、を備えた電子カルテ検索装置であって、前記入力手段は、受診日を最初の検索条件とする受診日検索モードを有し、前記入力手段が前記受診日検索モードである場合、少なくとも一人の受診者がいる受診日に印を付けて、複数月のカレンダーを表示させるとともに、前記入力手段が、印を付けた前記受診日を検索条件として入力すると、前記カレンダーの表示箇所とは別の箇所に、当該受診日の検索カルテを一覧表示させ、前記入力手段が前記一覧表示中の特定の検索カルテを選択する入力をすると、選択された前記検索カルテの詳細を表示させる、ように前記制御手段は前記表示手段を制御することを特徴とする。
【００１０】
本考案の電子カルテ検索装置によれば、受診日を最初の検索条件とする受診日検索モードである場合、少なくとも一人の受診者がいる受診日に印を付けて、複数月のカレンダーを表示させるとともに、入力手段が、印を付けた受診日を検索条件として入力すると、カレンダーの表示箇所と別の箇所に、当該受診日の検索カルテを一覧表示させ、入力手段が一覧表示中の特定の検索カルテを選択する入力をすると、選択された検索カルテの詳細を表示させる、ように前記制御手段は前記表示手段を制御するため、医師や医療スタッフが患者の受診日を最初の検索条件として患者を検索でき、更に、少なくとも一人の受診者がいる日に印を付けて、複数月のカレンダーが表示されるため、受診者がいない日を間違って入力してしまうことがない。このため、検索の際の大きな時間ロスを低減し、医師や医療スタッフの患者に対する迅速的確な処理の助けとなる電子カルテ検索装置を提供することができる。
【００１１】
［２］本考案の電子カルテ検索装置においては、前記カレンダーを、検索日を中心として、検索日の属する月、前記検索日の属する月より前の月、及び、前記検索日の属する月より後の月を、合計して３か月以上で１２か月以下の複数月表示させるように、前記制御手段は前記表示手段を制御することが好ましい。
【００１２】
本考案の電子カルテ検索装置によれば、カレンダーを、検索日を中心として、検索日の属する月、検索日の属する月より前の月、及び、検索日の属する月より後の月を、合計して３か月以上で１２か月以下の複数表示させるように、制御手段は表示手段を制御するため、過去の受診日だけでなく、予約した受診日も、当月を含め、合計して３か月以上で１２か月以下の複数月表示されるため、患者を検索しやすく、検索の際の大きな時間ロスを更に低減することが可能となる。
なお、４か月以上で１０か月以下とするようにしてもよい。患者の受診状況から４か月以上で１０か月以下が適当な場合もあるからである。
【００１３】
［３］本考案の電子カルテ検索装置においては、前記カレンダーを、前記検索日の属する月より前の月の数が、前記検索日の属する月より後の月の数以上となるように表示させるように、前記制御手段は前記表示手段を制御することが好ましい。
【００１４】
本考案の電子カルテ検索装置によれば、カレンダーを、検索日の属する月より前の月の数が、検索日の属する月より後の月の数以上となるように表示させるように、制御手段は表示手段を制御するため、一般的に、既に受診した日の方が予約の受診日より多く、患者数も多いので、患者の検索が容易であり、検索の際の大きな時間ロスを更に低減することが可能となる。
【００１５】
［４］本考案の電子カルテ検索装置においては、前記カレンダーを、前記検索日の属する月を含め、６か月以上で９か月以下となるように表示させるように、前記制御手段は前記表示手段を制御することが好ましい。
【００１６】
本考案の電子カルテ検索装置によれば、カレンダーを、検索日の属する月を含め、６か月以上で９か月以下となるように、制御手段は表示手段を制御するため、カレンダー表示領域が広すぎも狭すぎもせず、検索しやすく、検索の際の大きな時間ロスを更に低減することが可能となる。６か月は半年で、９か月は６か月（半年）と１２か月（１年）の中間の月数だからである。
【００１７】
［５］本考案の電子カルテ検索装置においては、少なくとも一人の受診者がいる前記受診日の印を、受診の種類により、少なくとも２つの異なる印で表示させるように、前記制御手段は前記表示手段を制御することが好ましい。
【００１８】
ここで、「受診の種類」とは、例えば、過去の既に受診した受診日と将来の受診日（予約日）を異なる種類とする場合、本来は休診日であるけれども受診患者のある日を、稼働日における受診日と異なる種類の受診とする場合、予約日（将来の受診日）であるが通常の予約日と、来院後にまず検査をする場合の受診日（予約日）とを異なる種類の受診とする場合、将来の受診日（予約日）であるが往診と来院とを異なる種類の受診とする場合、往診で診療後に患者宅で会計する受診と往診前に会計処理を済ませる受診とを異なる種類とする場合等をいう。
「異なる印」とは、受診日に対する異なる色のマーキング、受診日に対する丸、四角、三角等の異なる囲み等をいう。
【００１９】
本考案の電子カルテ検索装置によれば、少なくとも一人の受診者がいる受診日の印を、受診の種類により、少なくとも２つの異なる印で表示させるように、制御手段が表示手段を制御するため、受診の種類別の状況が分かり便利であり、検索の際の大きな時間ロスを更に低減することが可能となる。
【００２０】
［６］本考案の電子カルテ検索装置においては、検索した当日については他の日と異なる印を付けて表示させるように、前記制御手段は前記表示手段を制御することが好ましい。
【００２１】
本考案の電子カルテ検索装置によれば、検索した当日については他の日と異なる印を付けて表示させるように制御手段が表示手段を制御するため、検索した当日を基準に他の受診日を一目で認識でき、検索の際の大きな時間ロスを更に低減することが可能となる。
【００２２】
［７］本考案の電子カルテ検索装置においては、前記入力手段は、前記カレンダー上で表示された特定の受診日を指定することにより、印を付けた前記受診日を検索条件として入力することが好ましい。
【００２３】
本考案の電子カルテ検索装置によれば、入力手段は、カレンダー上で表示された特定の受診日を指定することにより、印を付けた受診日を検索条件として入力すればよいため、検索しやすい。例えば、カレンダー上で表示された特定の受診日を、マウスを重ねて指定すること等により、印を付けた前記受診日を検索条件として入力すればよく、受診日を入力しやすいため、検索の際の大きな時間ロスを更に低減することが可能となる。
【００２４】
［８］本考案の電子カルテ検索装置においては、前記入力手段は、検索日欄に検索日を入力することにより、印を付けた前記受診日を検索条件として入力することが好ましい。
【００２５】
「検索日欄に検索日を入力する」とは、例えば、入力手段は、検索日欄に、例えばキーボードから直接、検索日（〇〇月〇〇日）を入力することにより、印を付けた前記受診日を検索条件として入力することをいう。
【００２６】
本考案の電子カルテ検索装置によれば、入力手段は、検索日欄に検索日を入力することにより、印を付けた前記受診日を検索条件として入力すればよいため、検索日の確かな入力が可能で、検索の際の大きな時間ロスを更に低減することが可能となる。
【００２７】
［９］本考案の電子カルテ検索装置においては、前記入力手段は、少なくとも「本日」、「前日」及び「翌日」の表示箇所を指定することにより、印を付けた前記受診日を検索条件として入力することが好ましい。
【００２８】
ここで、「本日」、「前日」及び「翌日」の表示箇所を指定するとは、例えば、「本日」、「前日」、「翌日」の表示箇所（例えばタブ等）を例えばマウスのクリック等で指定することをいう。
【００２９】
本考案の電子カルテ検索装置によれば、入力手段は、少なくとも「本日」、「前日」及び「翌日」の表示箇所を指定することにより、印を付けた受診日を検索条件として入力すればよいため、検索しやすく、検索の際の大きな時間ロスを更に低減することが可能となる。「本日」、「前日」、「翌日」は、患者検索する場合によく使われる日だからである。
【００３０】
［１０］本考案の電子カルテ検索装置においては、前記入力手段が、前記受診日の検索カルテの一覧表示中から、更に検索条件を追加して入力すると、前記一覧表示を追加検索した一覧表示に変更させ、前記入力手段が、追加検索した前記一覧表示中の特定の検索カルテを選択する入力をすると、選択された前記検索カルテの詳細を表示させる、ように前記制御手段は前記表示手段を制御することが好ましい。
【００３１】
本考案の電子カルテ検索装置によれば、上記のように制御手段が表示手段を制御することで、絞り込んだ一覧表示中から検索カルテを選択して詳細表示できるため検索しやすく、検索の際の大きな時間ロスを更に低減することが可能となる。
【００３２】
［１１］本考案の電子カルテ検索装置においては、前記入力手段は、患者を最初の検索条件とする患者検索モードを有し、前記入力手段が、前記受診日検索モードである場合、前記入力手段が患者を特定する患者情報を検索条件として入力すると、当該患者の検索カルテを一覧表示させ、前記入力手段が前記一覧表示中の特定の検索カルテを選択する入力をすると、選択された前記検索カルテの詳細を表示させる、ように前記制御手段は前記表示手段を制御することが好ましい。
【００３３】
本考案の電子カルテ検索装置によれば、受診日を最初の検索条件とする受診日検索モードの他に、患者を最初の検索条件とする患者検索モードを有し、入力手段が受診日検索モードである場合、入力手段が、患者を特定する患者情報を検索条件として入力すると、当該患者の検索カルテを一覧表示させ、入力手段が、一覧表示中の特定の検索カルテを選択する入力をすると、選択された検索カルテの詳細を表示させる、ように制御手段が表示手段を制御すると、複数の検索モードでの検索ができ便利であり、検索の際の大きな時間ロスを更に低減することが可能となる。
【００３４】
［１２］本考案の電子カルテ検索装置においては、前記一覧表示が、各検索カルテの内容を行方向に表示し、複数の検索カルテを列方向に並べる表示となるように、前記制御手段は前記表示手段を制御することが好ましい。
ここで、「検索カルテの内容」とは、検索カルテの内容の全部または一部の意味である。
【００３５】
本考案の電子カルテ検索装置によれば、上記のように制御手段が表示手段を制御するため、一覧が見やすく検索しやすく、検索の際の大きな時間ロスを更に低減することが可能となる。
【００３６】
［１３］本考案の電子カルテ検索装置においては、前記一覧表示が、各検索カルテの患者の受診状況を表示するように、前記制御手段は前記表示手段を制御することが好ましい。
【００３７】
ここで、「患者の受診状況」とは、例えば、診療待ち、診療中、会計待ち、会計終了等の状況をいう。
【００３８】
本考案の電子カルテ検索装置によれば、一覧表示が、各検索カルテの患者の受診状況を表示するように、制御手段が表示手段を制御するため、一覧表示された患者の受診状況を把握でき便利であり、検索の際の大きな時間ロスを更に低減することが可能となる。
【００３９】
［１４］本考案の電子カルテ検索装置においては、前記一覧表示される検索カルテの受診状況別の件数を表示させるように、前記制御手段は前記表示手段を制御することが好ましい。
【００４０】
ここで、「受診状況別の件数」とは、例えば、診療待ち、診療中、会計待ち、会計終了等の件数をいう。
【００４１】
本考案の電子カルテ検索装置によれば、一覧表示される検索カルテの受診状況別の件数を表示させるように、制御手段が表示手段を制御するため、便利であり、検索の際の大きな時間ロスを更に低減することが可能となる。
例えば、診療の前、診療中、会計前、診療中、会計の会計待ち、会計終了等の所定受診状況の時間的関連の件数が分かり便利であり、検索の際の大きな時間ロスを更に低減することが可能となる。
また、例えば、一覧表示された検索カルテをスクロールして見る場合、数百件であればもっと件数を絞る方が患者を検索しやすく、数十件であれば件数を絞る必要性は少ない、等の判断も可能となり、便利であり、検索の際の大きな時間ロスを更に低減することが可能となる。
【００４２】
［１５］本考案の電子カルテ検索装置においては、検索カルテを一覧表示させる際、少なくとも、患者番号、患者名、生年月日、年齢、性別表示を含めて表示させるように、前記制御手段は前記表示手段を制御することが好ましい。
【００４３】
ここで、患者番号、患者名、生年月日、年齢、性別は、患者を特定する情報（の少なくとも一部）である。
【００４４】
本考案の電子カルテ検索装置によれば、一覧表示中に患者名等が表示されるため、検索しやすく、検索の際の大きな時間ロスを更に低減することが可能となる。
【００４５】
［１６］
本考案の電子カルテ検索装置においては、前記の少なくとも一人の受診者がいる日に印を付ける表示を、少なくとも一人の受診者がいる日の表示と一人の受診者もいない日の表示とを異なる表示とすることでおこなうよう、前記制御手段は前記表示手段を制御することが好ましい。
【００４６】
ここで、「異なる表示」とは、例えば、字体を変えた表示という。例えば、明朝体の字体による表示とゴシック体の字体による表示、標準の太さの字体による表示と標準より太い字体による表示、及び、通常の傾きの字体による表示と斜めに傾けた字体による表示等をいう。「印」を付ける、の一態様である。
【００４７】
本考案の電子カルテ検索装置によれば、上記のように制御手段が表示手段を制御するため、検査しやすく、検索の際の大きな時間ロスを更に低減することが可能となる。
【００４８】
［１７］
本考案の電子カルテ検索装置においては、前記制御手段は、前記入力手段が、印を付けた以外の日を検索条件として入力した場合の入力受付を制限するよう制御することが好ましい。
ここで、入力受付を「制限」するとは、入力手段が、印を付けた以外の日を検索条件として入力しようとすると、警告したり、入力の受付ができないようにすることをいう。
【００４９】
本考案の電子カルテ検索装置によれば、制御手段は、印を付けた以外の日を検索条件として入力した場合の入力受付を制限するよう制御するため、効率よく検索でき、検索の際の大きな時間ロスを更に低減することが可能となる。
【図面の簡単な説明】
【００５０】
【図１】実施形態１に係る電子カルテ検索装置の概要を説明するための図である。
【図２】実施形態１に係る電子カルテ検索装置のハードウエア構成を説明するための図である。
【図３】実施形態１に係る電子カルテ検索装置の、電子カルテデータベースへのアクセス手順を説明するためのフローチャートである。
【図４】実施形態１に係る電子カルテ検索装置で、検索モードを選択する場合の画面を説明するための図である。
【図５】「受診日検索モード」の場合の手順を説明するためのフローチャートである。
【図６】「受診日検索モード」の場合の表示手段２上の表示（「受診日検索モード」としたときの最初の表示）を説明するための図である。
【図７】「受診日検索モード」の場合の表示手段２上の表示（特定の受診日を指定したときの表示）を説明するための図である。
【図８】「受診日検索モード」の場合の表示手段２上の表示（一覧表示の中で特定の検索カルテを選択した場合の表示）を説明するための図である。
【図９】「患者検索モード」の場合の手順を説明するためのフローチャートである。
【図１０】「患者検索モード」の場合の表示手段２上の表示を説明するための図である。
【図１１】従来技術を説明するための図である。
【考案を実施するための形態】
【００５１】
以下、本考案の電子カルテ検索装置について、図に示す実施形態に基づいて説明する。なお、各図面は模式図であり、必ずしも実際の手順、画面、構造、外観等を厳密に反映するものではない。
【００５２】
［実施形態１］
［電子カルテ検索装置の概要］
図１は、実施形態１に係る電子カルテ検索装置の概要を説明するための図であり、図２は、実施形態１に係る電子カルテ検索装置のハードウエア構成を説明するための図である。
【００５３】
図１及び図２に示すように、本考案の電子カルテ検索装置１は、入力手段３、表示手段２及び制御手段４を備える。入力手段３は、キーボード３１やマウス３２等で構成される。表示手段２は液晶表示装置、エレクトロルミネセンス表示装置等で構成される。制御手段４は、内部共通バスで接続されたＣＰＵ（Ｃｅｎｔｒａｌ  Ｐｒｏｓｅｓｓｉｎｇ  Ｕｎｉｔ、中央制御装置）と、ＲＯＭ（Ｒｅａｄ  Ｏｎｌｙ  Ｍｅｍｏｒｙ、読み出し専用のメモリー）と、ＲＡＭ（Ｒａｎｄｏｍ  Ａｃｃｅｓｓ  Ｍｅｍｏｒｙ、任意に読み書きできるメモリー）とを有する。ＲＯＭには電子カルテ検索装置１を制御するためのプログラム（電子カルテ検索装置１を制御するために組まれた一連の命令）が格納されている。制御手段４では、ＣＰＵがＲＯＭからプログラムを読み出し、ＲＡＭに処理データを一時的にＲＡＭに読み書きする等して電子カルテの検索処理を行う。
電子カルテ検索装置１の制御手段４の内部バスは、電子カルテ検索装置１のバス６に接続されている。電子カルテ検索装置１は通信手段（インターフェース）７により、有線又は無線の通信回線８を介して電子カルテを集めた電子カルテデータ記憶装置（電子カルテの情報を格納するメモリー、電子カルテデータベース）５に接続されている（以下、「電子カルテ記憶装置」を「電子カルテデータベース」と記載する場合がある。「電子カルテデータベース」は「電子カルテ記憶装置」を意味する）。インターネットで接続されていてもよい。電子カルテデータ記憶装置５は、電子カルテの情報（データ）を格納するメモリーであり、ハードディスク装置、光ディスク装置、半導体メモリー装置等である。サーバーやクラウドストーリッジであってもよい。
【００５４】
［電子カルテデータベースへのアクセス］
図３は、実施形態１に係る電子カルテ検索装置の、電子カルテデータベース５へのアクセス手順を説明するためのフローチャートである。
図３のフローチャートで、入力は入力手段３が行う。表示は表示手段２が行う。入力手段３での入力の判断や、表示手段２への表示指示、手順等は、制御手段４が行う（図以降のフローチャートでも同様）。
【００５５】
電子カルテ検索装置１が電子カルテの検索をするには、まず、電子カルテデータベース５へアクセスする必要がある。制御手段４は、入力手段３の入力で、電子カルテデータベース５へのアクセス（あるいはアクセス要求）入力があるか否かを判断する（ステップＳ１０１）。アクセス要求が一定時間内になかった場合は、アクセス要求処理を終了する（Ｓ１０２）。あるいは、アクセス（あるいはアクセス要求）があるまで待機するようにしてもよい。
【００５６】
アクセス（あるいはアクセス要求）があった場合には、ＩＤ、パスワードを要求し、ＩＤ、パスワードが入力される（Ｓ１０３）と、入力されたＩＤ、パスワードにより電子カルテデータベース５へアクセス権限を有する者からのアクセス要求かを判断する（Ｓ１０４）。セキュリティを高めるためである。なお、ＩＤ、パスワードによる認証の代わりに、指紋認証、虹彩認証等の認証であってもよい。
【００５７】
ＩＤ、パスワードによる認証で電子カルテデータベース５へのアクセスが認められない場合（ＩＤ、パスワードがＮＯの場合）にはステップＳ１０３に戻る。
【００５８】
ＩＤ、パスワードによる認証で電子カルテデータベース５へのアクセスが認められる場合（ＯＫ場合）には、電子カルテデータベース５にアクセスして電子カルテデータベース５の検索をおこなう指令があるか否かを判断する（Ｓ１０５）。
【００５９】
電子カルテデータベース５の検索以外の指令の場合（検索指令でない、ＮＯの場合）には、検索以外の作業フローに移行する（Ｓ１０６）。
【００６０】
電子カルテデータベース５の検索指令の場合（検索指令である、ＹＥＳの場合）には、検索をする場合の検索モードを判断する（Ｓ１０７）。表示手段２の表示画面上の検索（モード）タブのいずれが選択されたかで検索モードが何であるかを判断する。
【００６１】
受診日（モード）タブが選択された場合には、受診日で検索する受診日検索モードとなる（Ｓ１０８）。
患者（モード）タブが選択された場合には、患者で検索する患者検索モードとなる（Ｓ１０９）。
【００６２】
図４は、実施形態１に係る電子カルテ検索装置１で、検索モードを選択する場合の画面を説明するための図である。検索指令があると（Ｓ１０５）、表示手段２は表示画面上に図４に示す画像を表示する。受診日検索モードタブ「（日付で調べる）」２１と、患者検索モードタブ「（患者で調べる）」２２とを有する検索モードタブ２３が表示され、検索モードタブ２３中の受診日検索モードタブ「（日付で調べる）」２１をマウス３２で指定（選択）すると、受診日検索モードとなる（Ｓ１０８、図３参照）。患者検索モードタブ「（患者で調べる）」２２をマウス３２で指定（選択）すると、患者検索モードとなる（Ｓ１０９、図３参照）。
【００６３】
［受診日検索モード］
図５〜図８を使って受診日検索モードについて説明する。
図５は、「受診日検索モード」の場合の手順を説明するためのフローチャートである。図６は、「受診日検索モード」の場合の表示手段２上の表示（「受診日検索モード」としたときの最初の表示）を説明するための図である。図７は、「受診日検索モード」の場合の表示手段２上の表示（特定の受診日を指定したときの表示）を説明するための図である。図８は、「受診日検索モード」の場合の表示手段２上の表示（一覧表示の中で特定の検索カルテを選択した場合の表示）を説明するための図である。
【００６４】
カレンダー上に受診者がいる日に印を付けて表示
受診日検索モードになると（Ｓ１０８、図３）、制御手段４は、表示手段２に、「本日」（検索した日）の属する月を含む複数月をカレンダーで表示し、少なくとも一人の受診者がいる日（受診日）に印を付けて、表示させるように制御する（Ｓ２０１、図５）。「本日」にも本日であることを示す印を付けて表示する。
【００６５】
図６に具体的な画像を示す。
検索した日が２０１９年２月２０である場合、検索した日時は、現在日時表示部２４に、「２０１９年２月２０日（・・時・・分）」と表示する。
２０１８年１０月〜２０１９年３月までの６か月のカレンダー（「本日」が属する２０１９年２月を含む）を横に並べ、カレンダー表示部２５にそれぞれの月について、曜日（日〜土）を横方向にしてその下に日（１〜３０日等）を示す数字を表示する。
少なくとも一人の受診者がいる日（受診日）には、受診者がある旨を示す印（数字を囲んだ四角形）を付けて表示する。
【００６６】
図６の例では、制御手段４は、表示手段２に、「受診者のいる受診日」を、過去の既に「受診した患者のいた日」（過去の日）２５２と、将来の日で、「受診者のいる日」（予約日）２５３とに印を付けて表示させている。検索した日（２０１９年２月２０日、「本日」）より前の日（〜２０１９年２月１９日）が過去の日で、それより後の日（２０１９年２月２１日〜）が将来の日（予約日）である。過去の日を見ると，２０１９年２月４日〜８日・・２８日〜１９日に印が付いている。医院の一人でも受診者がいた日である。２月１日〜３日・・１５日〜１７日には印が付いていない。一人の受診者もいなかった日である。将来の日で見ると、２月２１日〜２７日には印がないが、２８日には印がある。２８日の予約があり受診者（受診予約者）がいることを示す。
過去の日の印と、詳細の日の印を異ならせると、「受診日」が過去なのか（既に受診したか）、これから受診するか（受診は終了しておらず、予約にあるか）がわかる。
カレンダー上には、検索日である「本日」（２０１９年２月２０日）に本日であることを示す印２５１（〇印）をつける。これにより、カレンダー上でどの日が「本日」であるかが一目でわかる。
【００６７】
カレンダーには、このように、「本日」（検索日である２０１９年２月２０日）を中心として、「本日」（２０１９年２月２０日）の属する月（２０１９年２月）、「本日」の属する月より前の月（２０１９年１月、２０１８年１２月、１１月、・・）、及び、「本日」の属する月より後の月（２０１９年３月、４月、・・）を、合計して３か月以上で１２か月以下の複数月をカレンダー表示部２５に表示させるように、制御手段４が表示手段２を制御することが好ましい。
過去の受診日だけでなく、予約した受診日も、当月（２０１９年２月）を含め、合計して３か月以上で１２か月以下の複数月表示させるように制御するため、受診日から患者を検索しやすい。
３か月以上とするのは、少なくとも、本月、前月、翌月とすると、検索しやすいためである。１２か月以下とするのは、１２か月も表示させれば検索するのに充分だからである。
【００６８】
また、制御手段４は、表示手段２に、「本日」の属する月（２０１９年２月）より前の月（２０１９年１月、２０１８年１２月、１１月、１０月）の数（４つ）が、「本日」の属する月より後の月（２０１９年３月）の数（１つ）以上となるように表示させるよう制御することが好ましい。
このようにすると、患者の検索が容易である。一般的に、既に受診した日の方が予約の受診日より多く、患者数も多いからである。
【００６９】
また、制御手段４は、表示手段２に、「本日」の属する月（２０１９年２月）を含め、３か月以上で１２か月以下となるように表示させるよう制御することが更に好ましい（図６〜８の例では、６か月）。
このようにすると、カレンダー表示部（カレンダー表示領域）２５が広すぎも狭すぎもせず、検索しやすい。
なお、４か月以上１０か月以下とするのが更に好ましい。６か月以上９か月以下とするのが更に好ましい。６か月は半年で、９か月は６か月（半年）と１２か月（１年）の中間の月数だからである。
【００７０】
図６の画像について更に説明する。
制御手段４は表示手段２に、画面上で、カレンダー表示部２５の下に一覧表示部２６を設け、検索カルテの一覧表示する項目（医院における患者番号、患者氏名、生年月日、性別、内科・小児科等の診療科、医師氏名等）を表示させるように制御する。
【００７１】
「日付で調べる」受診日検索モードタブ２１の下には、「日」検索タグ２５７（２５５、２５６）が表示されている。「日」検索タグ２５７は、「本日」検索タグ２５４、「前日」検索タグ２５５及び「翌日」検索タグ２５６を有する。「日」検索タグ２５７と並んで検索日（直接）入力欄２５８が設けられている。「日」検索タグ２５７（２５５、２５６）については後述する。
【００７２】
一覧表示部２６内は、一覧表示内検索部２７で、患者番号、患者氏名、電話番号等から
更に検索できる。一覧表示内検索については後述する。
一覧表示部２６は画面の下方にあり、検索カルテが一覧表示されると、一覧表示内の検索カルテの表示番号（ＮＯ．）、患者番号、患者氏名等の一覧表示項目に沿って表示される。
【００７３】
画面の右下には、表示条件表示部２８が設けられ、一覧の総件数や表示件数を表示する。
（受診）状況表示部２９では、検索カルテの患者の（受診）状況を表示する。診療待ち、診療中、会計待ち、会計終了等、それぞれ、何件かを表示する。
【００７４】
「受診日」を指定
ステップＳ２０１の後で、入力手段３が、カレンダー上の日から、印を付けた受診日を検索条件として選んで入力（指定）する（Ｓ２０２、図５）と、カレンダー表示部２５と別の箇所の一覧表示部２６に、当該受診日の検索カルテ（群）を一覧表示させる（Ｓ２０３、図５）よう制御手段４は表示手段２を制御する。
【００７５】
入力手段３が特定の日（受診日）を入力（指定）すると（Ｓ２０２）、表示手段２の画像は、図６から図７の画像に変わる。
受診日の指定は、画面のカレンダー上に示された受診者のいる日（受診日）を指定することで行う。受診した患者がいなければ、検索しても無駄だからである。
入力手段３が検索する受診日を指定する。
なお、制御手段４は、入力手段３が、印を付けた以外の日を検索条件として入力した場合の入力受付を制限するよう制御することが好ましい。
ここで、入力受付を「制限」するとは、入力手段が、印を付けた以外の日を検索条件として入力しようとすると、警告したり、入力の受付ができないようにすることをいう。
【００７６】
特定の日（受診日）の指定の方法には種々の指定の方法がある（Ｓ２０２）。
１つ目の方法は、マウス３２をカレンダー上で受診者がいる印のついた日に合わせることで指定する方法である。このようにすると、視覚的に指定でき指定しやすい。
２つ目の方法は、キーボード３１から「検索日入力欄」（検索日直接入力欄）２５８に日付けを入力して指定する方法である。操作者によっては、この方が入力しやすい。
３つ目の方法は、「日」検索タグ２５７を使い、「本日」検索タグ２５４、「前日」検索タグ２５５及び「翌日」検索タグ２５６のいずれかをマウス３２で指定する方法である。これら「本日」検索タグ２５４、「前日」検索タグ２５５及び「翌日」検索タグ２５６を用意したのは、これらの日の検索が多く、検索の便宜からである。
【００７７】
このようにして、特定の日（受診日）を指定すると、その日に受診した患者の検索カルテ（群）一覧が表示される（Ｓ２０３）。なお、電子カルテは受診日毎に作成されている。
図７の例では、入力手段３は、受診者のいた印が付いている２０１９年１月１８日を指定した。一覧表示部２６に、２０１９年１月１８日に受診した患者の検索カルテが一覧表示する。「検索順番１、患者番号５９、患者氏名田中一、生年月日２０１１年１月１０日、・・」のように、各検索カルテの内容（患者番号、患者氏名、生年月日等）を行方向に表示し、複数の検索カルテを列方向に並べる表示となるように、制御手段４は表示手段２を制御する。このように一覧表示すると、患者を検索しやすい。
【００７８】
一覧表示の仕方であるが、制御手段４は、表示手段２に表示させる一覧表示で、検索カルテの患者の受診状況を表示するように、表示手段２を制御する。
一覧表示の検索カルテの患者が、診療待ち、診療中、会計待ち、会計終了等のいずれの受診状況にあるか、各検索カルテ毎に、色別表示する。なお、色別の代わりに各検索カルテ毎に「（受診）状況」項目欄を設け、受診状況を表示するようにしてもよい。
【００７９】
表示条件表示部２８には、指定した受診日（２０１９年１月１８日）の検索カルテの総件数（２０１９年１月１８日の電子カルテの総数）を表示する（３０件と表示）。
【００８０】
一覧表示内の検索カルテ（群）を更に検索することもできる。一覧表示内検索部２７で、医院独自の患者番号、患者氏名、生年月日等を入力して検索できる。前方一致、後方一致、部分一致、完全一致等で検索できる。このように更に検索すると、一覧表示は、更に検索した検索カルテ一覧表示となる。表示条件表示部２８の総件数は３０件で変わりないが、その下の表示件数は、更に検索して絞り込まれた件数が表示される。
このようにすると、最初の一覧表示された検索カルテ群から更に絞り込んだ一覧表示に変更でき、検索しやすい。
【００８１】
制御手段４は、一覧表示内検索部２７に入力があるか否かで、一覧表示中の検索カルテ（群）内で更に検索するかしないかを判断する（Ｓ２０４）。
【００８２】
カルテを選択
更に検索しない場合（ＮＯの場合）、一覧表示中の検索カルテ（群）から、詳細を見たい検索のカルテが選択される（Ｓ２０６）と、選択された検索カルテの詳細を表示する（Ｓ２０７）。図８では、一覧表示中の検索カルテ（群）から「（ＮＯ．）２  （患者番号）３０１  （氏名）高橋勇  ・・」の検索カルテが選択された。選択は、キーボード３１やマウス３２で選択する。一覧表示中の特定の検索カルテを選んでキーボード３１のエンターキーを押す、あるいはマウス３２で２回クリックする等して選択を確定するようにしてもよい。
【００８３】
制御手段４は、表示手段２に、選択したカルテ（電子カルテ）の詳細を電子カルテ詳細示部３０に表示させるように制御する。電子カルテ詳細示部３０は、一覧表示部２６と同じ画面上の別の箇所に表示する。
あるいは、一覧表示部２６と別の頁に表示し、一覧表示部２６を表示する頁と、電子化カルテの詳細を表示する頁とは、一部が重なるようにして、どちらかの頁を前面に出すとき、他方の頁はその裏にして一部が見えているようにしてもよい。裏の頁のどこかにマウス３２を置いてクリックすると裏の頁が前面に出るようにする。
【００８４】
ステップ２０４で一覧表示中の検索カルテ（群）内を更に検索する（絞り込みをする）場合（ＹＥＳの場合）、一覧表示内検索部２７で、「患者番号」「患者氏名」「電話番号」等を、入力手段３から入力して検索する（Ｓ２０５）。そして、絞り込んだ一覧表示中の検索カルテ（群）から詳細を見たい検索カルテを選択する（Ｓ２０６）。次のステップＳ２０７については上述した。
【００８５】
受診日検索モードの終了
制御手段４は、入力手段３により患者検索モードタブ２２が選択されたか否かを検出して受診日検索モードの終了か否かを判断する（Ｓ２０８）。入力手段３により患者検索モードタブ２２が選択された場合（ＹＥＳの場合）、受診日検索モードは終了する。そうでない場合（ＮＯの場合）は、受診日検索モードは継続し、ステップＳ２０４に戻る。
なお、以上の受診日検索モードでは図６〜図８で、カレンダーを６か月表示させたが、３か月以上で１２か月以下、あるいは４か月以上で１０か月以下、更には６か月以上で９か月以下（６か月は、図６〜図８と同じ）、例えば７か月あるいは９か月、表示させるように制御してもよい。
【００８６】
［患者検索モード］
図９と図１０を使って患者検索モードについて説明する。
図９は、実施形態１に係る電子カルテ検索装置１で患者検索モードの場合の手順を説明するためのフローチャートである。図１０は、実施形態１に係る電子カルテ検索装置１で患者モードの場合の表示手段２による表示を説明するための図である。
【００８７】
図３のステップＳ１０７で患者検索モードが指定されると患者検索モードとなる。
患者検索モードの場合、表示手段２には、図１０に示す画像が出る。
【００８８】
入力手段３が、患者を特定する患者情報を検索条件として入力する（Ｓ３０１）と制御手段４は表示手段２（の患者検索条件表示部２６１）に入力された検索条件を表示させる。例えば、入力手段３が患者を特定する患者情報（例えば、患者氏名、生年月日、電話番号、カルテ番号・・等）を入力すると、制御手段は、患者検索条件表示部２６１に、入力された検索条件を表示させる。マウス３２により、画面上の「検索開始」ボタン（図面上では省略）が選択されると、制御手段４は患者検索モードでの検索を開始する（Ｓ３０２でＹＥＳの場合）。「検索開始」ボタンが選択されない（Ｓ３０２でＮＯの場合）と、ステップＳ３０１に戻る。なお、患者検索方法表示部２６２には、患者検索条件表示部２６１で設定された検索条件を、前方一致で検索するか、後方一致で検索するか、部分一致で検索するか、完全一致で検索するか、等の検索方法が表示され、いずれかを選択すると、選択された方法での検索を行う。
【００８９】
検索を開始する場合（Ｓ３０２でＹＥＳの場合）、制御手段４は、表示手段２に、検索した患者カルテ（群）を一覧表示させるように制御する。
図１０に示す例では、「患者氏名」欄に「高橋」を入力し、検索方法「前方一致」で検索した（Ｓ３０１、Ｓ３０２）。制御手段４は患者の氏が「高橋」のカルテを検索した。
制御手段４は表示手段２に、検索結果である患者の氏が「高橋」の検索カルテ（群）を、一覧表示部２６に、「高橋一郎」「高橋洋子」「高橋勇」・・のように一覧表示させるように制御する。一覧表示項目等、一覧表示の方法は、診日検索モードの場合と同様である。
【００９０】
一覧表示内の検索カルテ（群）を更に検索することもできる（Ｓ３０４）。
更に検索（絞り込み）する場合（Ｓ３０４でＹＥＳの場合）、例えば、入力手段３より、患者検索条件表示部２６１に、「患者氏名」欄の「高橋」、検索方法「前方一致」はそのままで、「電話番号」欄に電話番号が入力されると、制御手段４は一覧表示中の検索カルテ内で、電話番号が検索条件として追加された「高橋」さんを検索（絞り込み）する（Ｓ３０５）。
【００９１】
一覧表示中の検索カルテ（群）から、詳細を見たい検索のカルテを選択する（Ｓ３０６）と、選択されたカルテの詳細が表示される（Ｓ３０７）。この表示の仕方は、上述した受診日検索モードの場合と同様であり、記載を省略する。
患者検索モードでの検索を終了するか否かが判断され（Ｓ３０８）、ＹＥＳの場合には患者検索モードでの検索は終了する。ステップＳ３０８のやり方は、受診日検索モードの場合（Ｓ２０８の場合）と同様である。
【００９２】
患者検索モードでの検索を終了しない場合、ステップＳ３０４に戻る。このやり方も受診日検索モードの場合と同様である。
【００９３】
［実施形態２］
実施形態２に係る電子カルテ検索装置（図面を省略）では、図５のステップＳ２０１の「患者受診のある日に印を付けて表示」を、カレンダー上で患者受診のない日の背景を暗くして（薄い灰色にして）、患者受診のある日が患者のない日に対して相対的に明るくなるようにし、カレンダー上で患者受診のある日が目立つようにした。患者受診のある日に積極的に印を付けるのではなく、患者受診のない日の背景を暗くすることで、いわば消極的に患者受診のある日に印を付けた。
このように患者受診のない日の表示を加工し、患者受診のある日がわかるようにすることで「患者受診のある日に印を付けて表示」した。
実施形態２のようにしても、患者受診のある日を容易に判別できる。
【００９４】
実施形態２に係る電子カルテ検索装置（図面を省略）は、基本的には図１〜図１０に示す実施形態１に係る電子カルテ検索装置１と同様であるが、実施形態２の電子カルテ検索装置は、「患者受診のある日に印を付けて表示」を患者受診のない日の表示を患者受診のある日の表示と変えることで、消極的に「患者受診のある日に印を付けて表示」する点で実施形態１の電子カルテ検索装置１と異なる。
実施形態１に係る電子カルテ検索装置１が有する効果のうち、実施形態２に係る電子カルテ検索装置に該当する効果については同様の効果を有する。
【００９５】
［実施形態３］
実施形態３に係る電子カルテ検索装置（図面を省略）では、図５のステップＳ２０１の「患者受診のある日に印を付けて表示」を、カレンダー上で患者受診のある日の背景を黄色にする一方、カレンダー上で患者受診のない日の背景を暗くして（薄い灰色にして）、患者受診のある日が患者のない日に対して相対的に明るくなるようにした。
このように患者受診のある日の表示を目立つように加工すると同時に、患者受診のない日の表示を目立たないように加工することにより「患者受診のある日に印を付けて表示」した。
実施形態３のようにすると、患者受診のある日をより容易に判別できる。
【００９６】
実施形態３に係る電子カルテ検索装置（図面を省略）は、基本的には図１〜図１０に示す実施形態１に係る電子カルテ検索装置１と同様であるが、実施形態３の電子カルテ検索装置は、「患者受診のある日に印を付けて表示」を、患者受診のある日の表示を目立つように加工すると同時に、患者受診のない日の表示を目立たないように加工する点で実施形態１の電子カルテ検索装置１と異なる。
実施形態１に係る電子カルテ検索装置１が有する効果のうち、実施形態３に係る電子カルテ検索装置に該当する効果については同様の効果を有する。
【００９７】
［実施形態４］
実施形態４に係る電子カルテ検索装置（図面を省略）では、図５のステップＳ２０２の「特定の日（受診日）を指定」する際、「患者受診のない日」を指定すると、ブザー、音楽、警告アナウンス、あるいは警告メッセージ表示が出るようにした。
このようにすると、「患者受診のない日」を誤って指定すると警告されるため、誤りに気付き検索ロスを低減できる。
【００９８】
実施形態４に係る電子カルテ検索装置（図面を省略）は、基本的には図１〜図１０に示す実施形態１に係る電子カルテ検索装置１と同様であるが、実施形態４の電子カルテ検索装置は、「患者受診のない日」を指定すると、ブザー、音楽、警告アナウンス、あるいは警告メッセージ表示が出るようにした点で実施形態１の電子カルテ検索装置１と異なる。
実施形態１に係る電子カルテ検索装置１が有する効果のうち、実施形態４に係る電子カルテ検索装置に該当する効果については同様の効果を有する。
【００９９】
［実施形態５］
実施形態５に係る電子カルテ検索装置（図面を省略）では、図５のステップＳ２０２の「特定の日（受診日）を指定」する際、「患者受診のない日」を指定しようとしても指定できないように指定禁止にした。
具体的には、「患者受診のない日」をカレンダー上で指定しようとしても指定できないようにした。また、「日」を入力しようとしても入力できないようにした。また、「本日」「前日」「翌日」タブを使用して、患者受診のない日を指定しようとしても指定できないようにした。
このようにすると、「患者受診のない日」を指定してしまうことがないたけ、検索ロスが低減できる。
【０１００】
実施形態５に係る電子カルテ検索装置（図面を省略）は、基本的には図１〜図１０に示す実施形態１に係る電子カルテ検索装置１と同様であるが、実施形態５の電子カルテ検索装置は、「特定の日（受診日）を指定」する際、「患者受診のない日」を指定しようとしても指定できないようにした（指定禁止にした）点で実施形態１の電子カルテ検索装置１と異なる。
実施形態１に係る電子カルテ検索装置１が有する効果のうち、実施形態５に係る電子カルテ検索装置に該当する効果については同様の効果を有する。
【０１０１】
以上、本考案を上記の実施形態に基づいて説明したが、本考案は上記の実施形態に限定されるものではない。その趣旨を逸脱しない範囲において種々の形態において実施することが可能である。
例えば、下記に示すような変形実施も可能である。
【０１０２】
（１）カレンダー表示部２５のカレンダーで、「本日」２５１、「受診者のいる受診日」（過去）２５２及び「受診者のいる受診日」（予約日）２５３を「日」を表す数字の色を変えて、それらを示す印とする。例えば、「本日」は黄色の数字、「受診者のいる受診日（過去）」は赤色の数字、「受診者のいる受診日（予約日）」は青色の数字で、それらを示す印とする。
【０１０３】
（２）カレンダー表示部２５のカレンダーで、「本日」２５１、「受診者のいる受診日」（過去）２５２及び「受診者のいる受診日」（予約日）２５３を日を表す数字の字体を変えて、それらの示す印とする。例えば、「本日」は斜体の数字、「受診者のいる受診日」（過去）と、「受診者のいる受診日」（予約日）とは太字の数字で、それらを示す印とする。
【符号の説明】
【０１０４】
１…電子カルテ検索装置、２…表示手段、３…入力手段、３１…キーボード、３２…マウス、４…制御手段、５…電子カルテデータ記憶装置（電子カルテデータベース）、６…バス、７…通信手段（インターフェース）、８…通信回線、２１…受診日検索モードタブ、２２…患者検索モードタブ、２３…検索モードタブ、２４…現在日時表示部、２５…カレンダー表示部、２６…一覧表示部、２７…一覧表示内検索部、２８…表示条件表示部、２９…（受診）状況表示部、３０…電子カルテ詳細示部、２５１…「本日」、２５２…「受診者のいる受診日」（過去）、２５３…「受診者のいる受診日」（予約日）、２５４…「本日」検索タグ、２５５…「前日」検索タグ、２５６…「翌日」検索タグ、２５７…「日」検索タグ、２５８…検索日（直接）入力欄、２６１…患者検索条件表示部、２６２…患者検索方法表示部
【図１】
0003221605.tif 000003
【図２】
0003221605.tif 000004
【図３】
0003221605.tif 000005
【図４】
0003221605.tif 000006
【図５】
0003221605.tif 000007
【図６】
0003221605.tif 000008
【図７】
0003221605.tif 000009
【図８】
0003221605.tif 000010
【図９】
0003221605.tif 000011
【図１０】
0003221605.tif 000012
【図１１】
0003221605.tif 000013